(57)【要約】【課題】比較的大型の薄型テレビジョンのスタンドを簡易に包装することができるとともに、スタンドからのずれ落ちをなくすることができる包装袋、及び該包装袋を簡易に製造することができる製造方法を提供する。【解決手段】表示面を有する表示部９０に取着される脚部９２及び該脚部９２の下部から前後方向へ延びるベース部９３を有し、前記表示部９０を支持するスタンド９１のベース部９３の前側部分９３ａを被覆し、前記脚部９２に対応する箇所にベース部挿脱口１１を設けてある第１の袋部１と、前記ベース部９３の後側部分９３ｂを被覆し、前記脚部９２に対応する箇所にベース部挿脱口２１を設けてある第２の袋部２とを有し、第１及び第２の袋部１，２の前記ベース部挿脱口１１，２１の一部を結合することにより、第１及び第２のベース部挿脱口１１，２１からベース部９３の前側部分９３ａ及び後側部分９３ｂを挿入することができるようにした。【選択図】図２
2008308222.tif 000002
【特許請求の範囲】
【請求項１】
表示面を有する表示部に取着される脚部及び該脚部の下部から前後方向へ延びるベース部を有し、前記表示部を支持するスタンドを備える表示装置の前記スタンドを包装する包装袋において、前記ベース部の前側部分を被覆し、前記脚部に対応する箇所にベース部挿脱口を設けてある第１の袋部と、前記ベース部の後側部分を被覆し、前記脚部に対応する箇所にベース部挿脱口を設けてある第２の袋部とを有し、第１及び第２の袋部の前記ベース部挿脱口の一部を結合してあることを特徴とする包装袋。
【請求項２】
前記第１及び第２の袋部は、略四角形をなすシートが二つ折りされ、且つ折り方向と交差する側の二つの縁部が結合されている請求項１記載の包装袋。
【請求項３】
表示面を有する表示部に取着される脚部及び該脚部の下部から前後方向へ延びるベース部を有し、前記表示部を支持するスタンドを備える表示装置の前記スタンドを包装する包装袋において、前記ベース部の下面を被覆する下被覆部と、該下被覆部の周縁に連なり、前記ベース部の前部上面を被覆する第１の上被覆部及び前記ベース部の後部上面を被覆する第２の上被覆部とを有し、第１及び第２の上被覆部間にベース部挿脱口を設けてあることを特徴とする包装袋。
【請求項４】
表示面を有する表示部に取着される脚部及び該脚部の下部から前後方向へ延びるベース部を有し、前記表示部を支持するスタンドを備える表示装置の前記スタンドを包装する包装袋において、略四角形をなすシートの対向する二辺の側が中央側へ折り返しされている二つの上シート部と、該上シート部夫々の非折り返し縁部が結合されている結合部とを有し、前記上シート部夫々の接近側縁部間にベース部挿脱口を設けてあることを特徴とする包装袋。
【請求項５】
表示面を有する表示部及び該表示部を支持するスタンドを備える表示装置の前記スタンドを包装する包装袋の製造方法において、ロール状に巻装されている帯状シートを引出しつつ該帯状シートを二つ折りする工程と、二つ折りされた折りシートの、前記引出しの方向へ離隔した二箇所を溶着及び切断して一縁が開口する袋部を形成する工程と、袋部の二つを積み重ねる工程と、二つの袋部夫々の開口の一縁を結合する工程とを備えることを特徴とする包装袋の製造方法。
【発明の詳細な説明】
【技術分野】
【０００１】
本発明は表示面を有する表示部を支持するスタンドを備える表示装置の前記スタンドを包装する包装袋、及びそれの製造方法に関する。
【背景技術】
【０００２】
生産された薄型テレビジョン等の表示装置は、段ボール箱に収容して包装される。段ボール箱内には表示装置の移動を規制するとともに、外部から段ボール箱を経て表示装置に加わる力を緩衝する複数の緩衝体が収容されている。また、表示装置が段ボール箱内に収容されるまでの間に、表示装置の傷付き、及び埃の付着を防ぐための合成樹脂シート製の包装袋が表示装置に被嵌されている（例えば、特許文献１参照）。
【０００３】
図１１は比較的小型の薄型テレビジョンを包装する従来の包装袋の構成を示す説明図である。比較的小型の薄型テレビジョンは、図１１に示すように薄型テレビジョンの全体が合成樹脂シート製の包装袋５０により包装されている。しかし、比較的中型の薄型テレビジョンは、表示面を有する表示部が大型になるとともに、表示部を転倒しないように支持するスタンドも大型になるため、薄型テレビジョンの全体を一つの包装袋で包装することが困難になる。
【０００４】
図１２は比較的中型の薄型テレビジョンを包装する従来の包装袋の構成を示す説明図である。比較的中型の薄型テレビジョンは、図１２に示すように表示面を有する表示部を被覆する表示部用の包装袋６０と、スタンドを被覆するスタンド用の包装袋７０とにより包装されている。スタンドは、表示部に取着される脚部に対して該脚部から外方へ突出するベース部が比較的大型になるため、ベース部の下面を被覆する下シート部７０ａ及び該下シート部７０ａの周縁に連なり、ベース部の上面を被覆する上シート部７０ｂを有する略四角形をなし、一辺にベース部挿脱口７０ｃを設けてある袋部の前記上シート部７０ｂ中央にスリット７０ｄを設けてなる包装袋７０によりスタンドを包装してある。しかし、近年の薄型テレビジョンは益々大型化されており、表示部の大型化に伴ってスタンドの脚部、及びベース部も大型になるため、比較的大型の薄型テレビジョンのスタンドを図１２の包装袋７０で包装することが困難になる。また、図１２の包装袋７０にあっては、略四角形をなす袋部の一辺にベース部挿脱口７０ｃが開設され、さらに上シート部７０ｂ中央にスリット７０ｄが設けられているため、薄型テレビジョンが段ボール箱内に収容されるまでの間に包装袋７０が位置ずれし易いし、また、脱落し易い。
【０００５】
図１３は比較的大型の薄型テレビジョンを包装する従来の包装袋の構成を示す説明図である。比較的大型の薄型テレビジョンは、図１３に示すようにスタンドの脚部、及びベース部が大型になるため、略四角形をなす袋部の一辺にベース部挿脱口７０ｃが設けられ、さらに上シート部７０ｂの中央にスリット７０ｄが設けられている図１２の包装袋７０の前記スリット７０ｄ部が、前記脚部の大きさに対応して比較的大きく開放されている包装袋８０が用いられている。
【特許文献１】特開２００５−２３１６５５号公報
【発明の開示】
【発明が解決しようとする課題】
【０００６】
ところが、図１３の(a) に示す比較的大型の薄型テレビジョンを包装する従来の包装袋８０にあっては、略四角形をなす袋部の一辺にベース部挿脱口７０ｃが開設され、さらに上シート部７０ｂの中央部分が欠除されているため、図１３の(b) に示すように自重により包装袋８０のベース部挿脱口７０ｃ側が大きくめくれたり、図１３の(c) に示すように自重によりベース部挿脱口７０ｃ側が大きく垂れ下がることになり、包装袋８０がずれ落ち易く、改善策が要望されていた。
【０００７】
また、図１３に示された包装袋８０は、四角形をなすシートの一辺に凹所を形成し、該四角形のシートを二つ折りし、二つ折りシートの折り方向と交差する側の二辺を溶着することにより形成されているため、二つ折り、及び溶着される際に上シート部の凹所の両側部分が安定せず、二つ折り、及び溶着作業性が悪かったし、また、凹所用の比較的大きい屑が発生し、この点でも改善策が要望されていた。
【０００８】
本発明は斯かる事情に鑑みてなされたものであり、主たる目的は比較的大型の薄型テレビジョンのスタンドを簡易に包装することができるとともに、スタンドからのずれ落ちをなくすることができる包装袋、及び該包装袋を簡易に製造することができる製造方法を提供する点にある。
【課題を解決するための手段】
【０００９】
本発明に係る包装袋は、表示面を有する表示部に取着される脚部及び該脚部の下部から前後方向へ延びるベース部を有し、前記表示部を支持するスタンドを備える表示装置の前記スタンドを包装する包装袋において、前記ベース部の前側部分を被覆し、前記脚部に対応する箇所にベース部挿脱口を設けてある第１の袋部と、前記ベース部の後側部分を被覆し、前記脚部に対応する箇所にベース部挿脱口を設けてある第２の袋部とを有し、第１及び第２の袋部の前記ベース部挿脱口の一部を結合してあることを特徴とする。
【００１０】
この発明にあっては、第２の袋部のベース部挿脱口からベース部の後側部分を第２の袋部内に挿入することができ、第１の袋部のベース部挿脱口からベース部の前側部分を第１の袋部内に挿入することができるため、スタンドを簡易に被覆することができ、しかも、ベース部の前側部分は第１の袋部により被覆され、ベース部の後側部分は第２の袋部により被覆されるため、自重によるスタンドからの脱落をなくすることができる。
【００１１】
また、本発明に係る包装袋は、前記第１及び第２の袋部は、略四角形をなすシートが二つ折りされ、且つ折り方向と交差する側の二つの縁部が結合されていることが好ましい。
この発明にあっては、第１及び第２の二つ折りされている上シート部及び下シート部が略四角形をなし、この上下シート部の折り方向と交差する側の二つの縁部が結合されているため、シートの屑を少なくすることができ、包装袋のコストを低減することができる。
【００１２】
また、本発明に係る包装袋は、表示面を有する表示部に取着される脚部及び該脚部の下部から前後方向へ延びるベース部を有し、前記表示部を支持するスタンドを備える表示装置の前記スタンドを包装する包装袋において、前記ベース部の下面を被覆する下被覆部と、該下被覆部の周縁に連なり、前記ベース部の前部上面を被覆する第１の上被覆部及び前記ベース部の後部上面を被覆する第２の上被覆部とを有し、第１及び第２の上被覆部間にベース部挿脱口を設けてあることを特徴とする。
この発明にあっては、一つのベース部挿脱口からベース部の後側部分を第２の上シート部の内側へ挿入し、ベース部の前側部分を第１の上シート部の内側へ挿入することができるため、スタンドを簡易に被覆することができ、しかも、ベース部の前側部分は第１の上シート部により被覆され、ベース部の後側部分は第２の上シート部により被覆されるため、自重によるスタンドからの脱落をなくすることができる。
【００１３】
また、本発明に係る包装袋は、表示面を有する表示部に取着される脚部及び該脚部の下部から前後方向へ延びるベース部を有し、前記表示部を支持するスタンドを備える表示装置の前記スタンドを包装する包装袋において、略四角形をなすシートの対向する二辺の側が中央側へ折り返しされている二つの上シート部と、該上シート部夫々の非折り返し縁部が結合されている結合部とを有し、前記上シート部夫々の接近側縁部間にベース部挿脱口を設けてあることを特徴とする。
この発明にあっては、一つのベース部挿脱口からベース部の後側部分を一方の上シート部の内側へ挿入し、ベース部の前側部分を他方の上シート部の内側へ挿入することができるため、スタンドを簡易に被覆することができ、しかも、ベース部の後側部分は一方の上シート部により被覆され、ベース部の前側部分は他方の上シート部により被覆されるため、自重によるスタンドからの脱落をなくすることができる。
【００１４】
また、本発明に係る包装袋の製造方法は、表示面を有する表示部及び該表示部を支持するスタンドを備える表示装置の前記スタンドを包装する包装袋の製造方法において、ロール状に巻装されている帯状シートを引出しつつ該帯状シートを二つ折りする工程と、二つ折りされた折りシートの、前記引出しの方向へ離隔した二箇所を溶着及び切断して一縁が開口する袋部を形成する工程と、袋部の二つを積み重ねる工程と、二つの袋部夫々の開口の一縁を結合する工程とを備えることを特徴とする。
【００１５】
この発明にあっては、ロール状に巻装されている帯状シートを引出す際に自動的に二つ折りすることができ、この二つ折りされた折りシートの引出方向の二箇所を溶着と同時に切断して袋部を作ることができ、この袋部の二つを結合することにより包装袋を製造することができるため、二つの袋部を有する包装袋を簡易に製造することができ、二つの袋部を有する包装袋を安価に製造することができる。
【発明の効果】
【００１６】
本発明によれば、ベース部の前側部分を第１の袋部に挿嵌し、ベース部の後側部分を第２の袋部に挿嵌することによりスタンドを包装することができるため、スタンドの包装を簡易にでき、しかも、自重によるスタンドからの脱落をなくすることができる。
【００１７】
また、本発明によれば、ベース部の前側部分を第１の上シート部の内側へ挿入し、ベース部の後側部分を第２の上シート部の内側へ挿入することによりスタンドを包装することができるため、スタンドの包装を簡易にでき、しかも、自重によるスタンドからの脱落をなくすることができる。
また、本発明によれば、ロール状に巻装されている帯状シートを引出す際に自動的に二つ折りすることができ、この二つ折りされた折りシートの引出方向の二箇所を溶着と同時に切断して袋部を作ることができ、この袋部の二つを結合することにより包装袋を製造することができるため、二つの袋部を有する包装袋を簡易に製造することができ、二つの袋部を有する包装袋を安価に製造することができる。
【発明を実施するための最良の形態】
【００１８】
以下本発明をその実施の形態を示す図面に基づいて詳述する。
実施の形態１
図１は本発明に係る包装袋とスタンドを備える表示装置との関係を示す説明図、図２は本発明に係る包装袋がスタンドを包装している状態を示す斜視図、図３は包装袋の構成を示す斜視図、図４は包装袋の構成を示す平面図、図５は図４のＶ−Ｖ線の断面図、図６は包装袋の構成を示す底面図である。
【００１９】
図に示した包装袋１０は、前側に表示面を有する表示部９０の後側下部に取着される脚部９２及び該脚部９２の下部から前後方向へ延びるベース部９３を有し、前記表示部９０を支持するスタンド９１を備える薄型テレビジョン９の前記スタンド９１を包装するもので、ポリエチレンシートにより形成されている。この包装袋１０はその一辺にベース部挿脱口１１が設けられている略四角形をなし、ベース部９３の前側部分９３ａを被覆する第１の袋部１と、その一辺にベース部挿脱口２１が設けられている略四角形をなし、ベース部９３の後側部分９３ｂを被覆する第２の袋部２とを有し、第１及び第２の袋部１，２のベース部挿脱口１１，２１の一縁同士が溶着され、ベース部挿脱口１１，２１が向き合っている。
【００２０】
第１の袋部１はベース部９３の前側下面を被覆し、略四角形をなす下シート部１ａ（下被覆部）と、該下シート部１ａの一辺に折返部１ｂにより連なる略四角形をなし、ベース部９３の前部上面を被覆する上シート部１ｃ（上被覆部）とを有し、下シート部１ａ及び上シート部１ｃの折返部１ｂの両端に連なる二つの辺１ｄ，１ｄが溶着されることにより、下シート部１ａ及び上シート部１ｃの他辺間にベース部挿脱口１１が設けられている。
【００２１】
第２の袋部２はベース部９３の後側下面を被覆し、略四角形をなす下シート部２ａ（下被覆部）と、該下シート部２ａの一辺に折返部２ｂにより連なる略四角形をなし、ベース部９３の後部上面を被覆する上シート部２ｃ（上被覆部）とを有し、下シート部２ａ及び上シート部２ｃの折返部２ｂの両端に連なる二つの辺２ｄ，２ｄが溶着されることにより、下シート部２ａ及び上シート部２ｃの他辺間にベース部挿脱口２１が設けられている。
【００２２】
第１及び第２の袋部１，２の下シート部１ａ，２ａの他辺側は、上シート部１ｃ，２ｃよりも外方へ突出しており、この下シート部１ａ，２ａの他辺同士が溶着されることにより、第１及び第２の袋部１，２のベース部挿脱口１１，２１が、脚部９２の前後厚さに対応して離隔している。
【００２３】
図７は包装袋１０がスタンド９１を包装する過程を示す説明図である。以上のように構成された包装袋１０は、脚部９２の下部から前後方向へ延びるベース部９３を有するスタンド９１のベース部９３を被覆する。この場合、ベース部９３の後側部分９３ｂを第２の袋部２のベース部挿脱口２１から第２の袋部２内に挿入することができ（図７(a) 参照）、この状態で第１の袋部１の上シート部１ｃをベース部９３に対して上方へ引張り、第１の袋部１のベース部挿脱口１１を広げることによりベース部９３の前側部分９３ａをベース部挿脱口１１から第１の袋部１内に挿入することができる。この際、第１及び第２の袋部１，２のベース部挿脱口１１，２１は脚部９２の前後厚さに対応して離隔しているため、上シート部１ｃ，２ｃに皺を発生させることなくベース部９３を被覆することができる。
【００２４】
図８、図９は本発明に係る包装袋１０の製造過程を示す説明図である。第１及び第２の袋部１，２はポリエチレンシートがロール状に巻装されている帯状シートＢの二つ折り、及び溶着／溶断（切断）により製造される。ロール状に巻装されている帯状シートＢの引出経路には、帯状シートＢの引出方向を変える第１及び第２のロールＣ，Ｄと、第１及び第２のロールＣ，Ｄ間に配され、帯状シートＢを引出しつつ該帯状シートＢを二つ折りする折り治具Ｅと、第２のロールＤよりも引出し側に、引出の方向へ離隔して配置された第１及び第２の溶着／溶断具Ｆ，Ｇとが配置されている。第１及び第２の溶着／溶断具Ｆ，Ｇは、比較的高温に加熱される溶着部及び該溶着部に連なる溶断刃を有し、溶着部及び溶断刃に対応する溶着部及び刃部を有する受台に対して昇降が可能に構成されており、下降したとき折りシートＪを溶着と同時に溶断するように構成されている。
【００２５】
帯状シートＢは折り治具Ｅにより幅方向中央より幅方向一方側へずれた位置で二つ折りされ、第２のロールＤにより折り成形され、換言すると折り目が形成され、第１及び第２の溶着／溶断具Ｆ，Ｇの位置で引出しが停止され、引出の方向へ離隔した二箇所を第１及び第２の溶着／溶断具Ｆ，Ｇにより溶着／溶断し、ベース部挿脱口１１（又は２１）を有する等しい形状の複数の袋部１（又は袋部２）を製造する。この袋部１は重り合う二つの重りシート部（下シート部１ａ及び上シート部１ｃ）を有し、一方の重りシート部（下シート部１ａ）は他方の重りシート部（上シート部１ｃ）よりも広幅に形成されている（図８参照）。
【００２６】
次に二つの袋部１の一方を他方に対して反転させ、広幅の重りシート部（下シート部１ａ）間に狭幅の重りシート部（上シート部１ｃ）を配置し（図９(a) 参照）、広幅の重りシート部（下シート部１ａ）のベース部挿脱口１１を揃えた状態で広幅の重りシート部（下シート部１ａ）のベース部挿脱口１１の縁部を第３の溶着具Ｋにより溶着し（図９(b) 参照）、包装袋１０を製造する。
【００２７】
この包装袋１０は二つの袋部１，１（又は２，２）を展開することにより、両側に第１及び第２の袋部１，２を有し、中央部にベース部挿脱口１１，２１を有する。
【００２８】
このように本発明に係る製造方法にあっては、帯状シートＢの引出し過程で該帯状シートＢを自動的に二つ折りすることができるとともに、二箇所を溶着／溶断して複数の袋部１（又は２）を製造することができ、さらに、二つの袋部１（又は２）のベース部挿脱口１１（又は２１）側を溶着して包装袋１０を製造することができる。
【００２９】
実施の形態２
図１０は包装袋の他の製造方法を示す説明図である。この製造方法は、略四角形（具体的には長方形）に形成されているシートＬの対向する二辺側を中央側へ折り返して二つの上シート部３ａ，３ｂ（上被覆部）及び上シート部３ａ，３ｂと対向する下シート部３ｃ，３ｃ（下被覆部）を形成し、上シート部３ａ，３ｂ夫々の非折り返し縁部３ｄ，３ｄを下シート部３ｃ，３ｃに溶着することにより、上シート部３ａ，３ｂ夫々の接近側縁部間にベース部挿脱口３ｅを設けてある構成としたものである。
【００３０】
上シート部３ａ，３ｂはシートＬを四等配した長さよりも若干短い位置で折り返しされ、上シート部３ａ，３ｂ夫々の接近側縁が、脚部９２の前後厚さに対応して離隔している。
【００３１】
この製造方法にあっては、略四角形に形成されているシートＬの対向する二辺側を折り返して二箇所を溶着する工程で製造することができ、比較的安価に製造することができる。
【００３２】
また、スタンド９１を包装する場合、脚部９２の下部から前後方向へ延びるベース部９３の後側部分９３ｂをベース部挿脱口３ｅから一方の上シート部３ｂの内側へ挿入することができ、この状態で他方の上シート部３ａをベース部９３に対して上方へ引張り、ベース部挿脱口３ｅを広げることによりベース部９３の前側部分９３ａをベース部挿脱口３ｅから他方の上シート部３ａの内側へ挿入することができる。この際、二つの上シート部３ａ，３ｂ間のベース部挿脱口３ｅは脚部９２の前後厚さに対応して離隔しているため、上シート部３ａ，３ｂに皺を発生させることなくベース部９３を被覆することができる。
【００３３】
尚、本発明に係る包装袋１０は、図２に示すように横方向へ離隔する二つの脚部９２，９２を有するスタンド９１のベース部９３を被覆するものである他、図１２に示すように一つの脚部を有するスタンドのベース部を被覆するものであってもよい。また、薄型テレビジョンのスタンド９１を包装する他、薄型テレビジョン以外の表示装置のスタンドを包装してもよい。
【００３４】
また、以上説明した実施の形態では溶着と溶断とを同時に行うことができる溶着／溶断具によりシートを結合、切断する構成としたが、その他、シートの結合、切断は専用の溶着具、溶断具により結合、切断する構成としてもよいし、また、縫着具又は接着剤により結合、切断刃により切断する構成としてもよい。
【図面の簡単な説明】
【００３５】
【図１】本発明に係る包装袋とスタンドを備える表示装置との関係を示す説明図である。
【図２】本発明に係る包装袋がスタンドを包装している状態を示す斜視図である。
【図３】本発明に係る包装袋の構成を示す斜視図である。
【図４】本発明に係る包装袋の構成を示す平面図である。
【図５】図４のＶ−Ｖ線の断面図である。
【図６】本発明に係る包装袋の構成を示す底面図である。
【図７】本発明に係る包装袋がスタンドを包装する過程を示す説明図である。
【図８】本発明に係る包装袋の製造過程を示す説明図である。
【図９】本発明に係る包装袋の製造過程を示す説明図である。
【図１０】本発明に係る包装袋の他の製造方法を示す説明図である。
【図１１】比較的小型の薄型テレビジョンを包装する従来の包装袋の構成を示す説明図である。
【図１２】比較的中型の薄型テレビジョンを包装する従来の包装袋の構成を示す説明図である。
【図１３】比較的大型の薄型テレビジョンを包装する従来の包装袋の構成を示す説明図である。
【符号の説明】
【００３６】
１    第１の袋部
１ａ  下シート部（下被覆部）
１ｃ  上シート部（上被覆部）
２    第２の袋部
２ａ  下シート部（下被覆部）
２ｃ  上シート部（上被覆部）
３ａ  第１の上シート部（上被覆部）
３ｂ  第２の上シート部（上被覆部）
３ｃ  下シート部（下被覆部）
３ｅ  ベース部挿脱口
１１，２１  ベース部挿脱口
９０  表示部
９１  スタンド
９２  脚部
９３  ベース部
９３ａ  前側部分
９３ｂ  後側部分
Ｌ    シート
【図１】
2008308222.tif 000003
【図２】
2008308222.tif 000004
【図３】
2008308222.tif 000005
【図４】
2008308222.tif 000006
【図５】
2008308222.tif 000007
【図６】
2008308222.tif 000008
【図７】
2008308222.tif 000009
【図８】
2008308222.tif 000010
【図９】
2008308222.tif 000011
【図１０】
2008308222.tif 000012
【図１１】
2008308222.tif 000013
【図１２】
2008308222.tif 000014
【図１３】
2008308222.tif 000015